(57)【要約】【課題】  蓄電池に充電された電力が大きく減少することなく、その電池が充電中であるか、または、満充電であるかを出力装置に表示することができる充電制御方法及び移動通信端末装置を提供する。【解決手段】  上下筐体が折畳み型の装置の蓄電池が満充電である（ステップ１１ｅの「満充電」）場合、装置の電源が切断されており（ステップ１１ｎの「切断」）、上下筐体が開状態にある時に（ステップ１１ｐの「開」）、上筐体または下筐体の正面に位置し、電力の消費が多い正面出力部に電池が満充電であることを表示しない（ステップ１１ｑ）ことにより、電池が満充電であることの表示に消費される電力の削減を行うことができる。【選択図】  図５
2005117827.tif 000002
【特許請求の範囲】
【請求項１】
蓄電池の充電状態を第１の輝度レベル、または前記第１の輝度レベルより低い第２の輝度レベルで表示可能な装置に電力を供給する蓄電池の充電制御方法であって、
前記装置の電源が切断されており、かつ、前記蓄電池が充電中である場合、前記蓄電池が充電中であることを出力手段に前記第２の輝度レベルで出力し、
前記装置の電源が切断されており、かつ、前記蓄電池が満充電である場合、前記出力手段に出力しない
ことを特徴とする充電制御方法。
【請求項２】
第１筐体と第２筐体とが折畳み型を成し、蓄電池の充電状態を第１の輝度レベル、または前記第１の輝度レベルより低い第２の輝度レベルで表示可能な装置に電力を供給する蓄電池の充電制御方法であって、
前記第１、第２筐体が開状態であり、かつ、前記装置の電源が切断されており、かつ、前記蓄電池が充電中である場合、前記蓄電池が充電中であることを前記第１筐体または第２筐体の内側に配置された内側出力手段に出力し、
前記第１、第２筐体が開状態であり、かつ、前記装置の電源が切断されており、かつ、前記蓄電池が満充電である場合、前記内側出力手段に出力しない
ことを特徴とする充電制御方法。
【請求項３】
前記内側出力手段への出力は、前記第２の輝度レベルで行う
ことを特徴とする請求項２に記載の充電制御方法。
【請求項４】
前記第１、第２筐体が閉状態であり、かつ、前記装置の電源が切断されており、かつ、前記蓄電池が充電中である場合、前記蓄電池が充電中であることを前記第１筐体または第２筐体の外側に配置された外側出力手段に出力し、
前記第１、第２筐体が閉状態であり、かつ、前記装置の電源が切断されており、かつ、前記蓄電池が満充電である場合、前記蓄電池が満充電であることを前記外側出力手段に出力する
ことを特徴とする請求項２に記載の充電制御方法。
【請求項５】
前記外側出力手段への出力は、前記第２の輝度レベルで行う
ことを特徴とする請求項４に記載の充電制御方法。
【請求項６】
第１筐体と第２筐体とが折畳み型の形状であって、
蓄電池と、
電源の投入及び切断の指示を入力する入力手段と、
前記第１筐体または第２筐体の内側に配置された内側出力手段と、
前記第１、第２筐体が開状態であり、かつ、前記電源が切断されており、かつ、前記蓄電池が充電中である場合、前記蓄電池が充電中であることを前記内側出力手段に出力し、前記第１、第２筐体が開状態であり、かつ、前記電源が切断されており、かつ、前記蓄電池が満充電である場合、前記内側出力手段に出力しない充電制御手段と
を備えることを特徴とする移動通信端末装置。
【請求項７】
前記内側出力手段は前記蓄電池の充電状態を第１の輝度レベル、または前記第１の輝度レベルより低い第２の輝度レベルで表示可能なＬＣＤ装置であり、
前記充電制御手段は、前記出力を前記第２の輝度レベルで行う
ことを特徴とする請求項６に記載の移動通信端末装置。
【請求項８】
前記ＬＣＤ装置はバックライトを備えた透過型ＬＣＤ装置であり、
前記充電制御手段は、前記出力を前記バックライトを前記第２の輝度レベルで点灯して行う
ことを特徴とする請求項７に記載の移動通信端末装置。
【請求項９】
前記第１筐体または第２筐体の外側に配置された外側出力手段を更に備え、
前記充電制御手段は、前記第１、第２筐体が閉状態であり、かつ、前記電源が切断されており、かつ、前記蓄電池が充電中である場合、前記蓄電池が充電中であることを前記外側出力手段に出力し、前記第１、第２筐体が閉状態であり、かつ、前記電源が切断されており、かつ、前記蓄電池が満充電である場合、前記蓄電池が満充電であることを前記外側出力手段に出力する
ことを特徴とする請求項６に記載の移動通信端末装置。
【請求項１０】
前記外側出力手段は前記蓄電池の充電状態を第１の輝度レベル、または前記第１の輝度レベルより低い第２の輝度レベルで表示可能なＬＣＤ装置であり、
前記充電制御手段は、前記出力を前記第２の輝度レベルで行う
ことを特徴とする請求項９に記載の移動通信端末装置。
【請求項１１】
前記ＬＣＤ装置はバックライトを備えた反射型ＬＣＤ装置であり、
前記充電制御手段は、前記出力を前記バックライトを消灯して行う
ことを特徴とする請求項１０に記載の移動通信端末装置。
【発明の詳細な説明】
【技術分野】
【０００１】
本発明は、充電制御方法及び移動通信端末装置に係り、特に蓄電池の充電状況の出力に関する。
【背景技術】
【０００２】
移動通信端末装置等の多くの携帯用装置は蓄電池、即ち、充電可能な電池を内蔵し、その電池から供給される電力によって動作する。そこで、その電池を適宜充電することが必要であり、多くの場合、商用の交流電力を所定の直流電力に変換する充電器が携帯用装置の一部として備えられる。そして、その充電器をコネクタを介して携帯用装置に接続することによって、電池が充電される。
【０００３】
ここで、短時間で電池を満充電にする、即ち、充電を完了させるために、携帯用装置の電源を切断して充電することが行われている。なお、電源の切断とは、携帯用装置はその装置本来の目的とする動作が行えない状態であることを意味しており、携帯用装置の制御のため、その装置の一部の機能が動作していることがある。
【０００４】
例えば、電源が切断されていても充電制御部が動作していて、電池が満充電になれば充電を終了する。そして、充電制御部が電池が充電中であるか、または、満充電であるかを出力することが行われている。そのため、充電器が携帯用装置に接続されている場合、その携帯用装置の出力装置に電池が充電中であることを示す画像、または、満充電であることを示す画像のいずれかの画像を出力することが行われている。
【発明の開示】
【発明が解決しようとする課題】
【０００５】
しかしながら、上述した方法では、電池が満充電時に電池が満充電であることを示す画像を出力装置に出力することに必要な電力は、その電池から供給される。そこで、出力装置が消費する電力だけ、その電池に充電された電力が減少する問題点があった。
【０００６】
なぜなら、電池の過充電を防止し、かつ、充電器の過熱を防止するために、携帯用装置の充電制御部は、電池が満充電時に充電器と電池との電気的な接続を切断するからである。
【０００７】
本発明は、上記問題点を解決するためになされたもので、電池に充電された電力が大きく減少することなく、電池が充電中であるか、または、満充電であるかを出力装置に出力することができる充電制御方法及び移動通信端末装置を提供することを目的とする。
【課題を解決するための手段】
【０００８】
上記目的を達成するために、本発明の充電制御方法は、蓄電池の充電状態を第１の輝度レベル、または前記第１の輝度レベルより低い第２の輝度レベルで表示可能な装置に電力を供給する蓄電池の充電制御方法であって、前記装置の電源が切断されており、かつ、前記蓄電池が充電中である場合、前記蓄電池が充電中であることを出力手段に前記第２の輝度レベルで出力し、前記装置の電源が切断されており、かつ、前記蓄電池が満充電である場合、前記出力手段に出力しないことを特徴とする。
【０００９】
また、本発明の充電制御方法は、第１筐体と第２筐体とが折畳み型を成し、蓄電池の充電状態を第１の輝度レベル、または前記第１の輝度レベルより低い第２の輝度レベルで表示可能な装置に電力を供給する蓄電池の充電制御方法であって、前記第１、第２筐体が開状態であり、かつ、前記装置の電源が切断されており、かつ、前記蓄電池が充電中である場合、前記蓄電池が充電中であることを前記第１筐体または第２筐体の内側に配置された内側出力手段に出力し、前記第１、第２筐体が開状態であり、かつ、前記装置の電源が切断されており、かつ、前記蓄電池が満充電である場合、前記内側出力手段に出力しないことを特徴とする。
【発明の効果】
【００１０】
本発明によれば、蓄電池が満充電時には大電力を消費する出力装置に出力をしないことによって、蓄電池に充電された電力が大きく減少することなく、蓄電池が充電中であるか、または、満充電であるかを出力装置に出力することができる。
【発明を実施するための最良の形態】
【００１１】
以下に、本発明による充電制御方法及び移動通信端末装置の実施の形態を、図面を参照して説明する。図１は、本発明の実施形態に係る折畳み型移動通信端末装置の実施の形態であり、上下筐体の折畳みを開いた時の外観を示す図である。図１（ａ）は背面図を、図１（ｂ）は側面図を、図１（ｃ）は正面図をそれぞれ示す。
【００１２】
この移動通信端末装置は、上筐体１と下筐体２とを、ヒンジ部３によって回動自在に連結してなり、更に、上筐体１、下筐体２またはヒンジ部３とコネクタ（図示せず）を介して取り外し可能に接続される充電器（図示せず）とからなる。
【００１３】
上筐体１の内面には、受話に用いられるスピーカ４と、利用者に操作を促す表示や、利用者の指示した内容の表示や、装置の動作状態の表示などに用いられるバックライトを備えた透過型ＬＣＤ（Liquid Crystal Display）からなる正面出力部５ａとが設置されている。また、上筐体１の外面には、装置の動作状態の表示などに用いられるバックライトを備えた反射型ＬＣＤからなる背面出力部５ｂが設置されている。
【００１４】
ここで、透過型ＬＣＤは、液晶パネルの光の反射率が低いＬＣＤであり、バックライトが消灯されると利用者は表示を視認することができない。そして、バックライトが高輝度で点灯されると利用者は高輝度な、かつ、高コントラストな表示を視認することができる。また、バックライトが低輝度で点灯されると、利用者は低輝度な表示を視認することができる。
【００１５】
一方、反射型ＬＣＤは、液晶パネルの光の反射率が高いＬＣＤであり、バックライトが消灯されると、太陽光や室内灯の反射により利用者は低輝度な表示を視認することができる。そして、バックライトが点灯されると、利用者は高輝度な表示を視認することができる。
【００１６】
なお、通話に用いられるスピーカ４や、マイク７、更に、電話番号の入力などに用いられる入力部６は、いずれも内面に設置されており、通話や、メール送信や、Ｗｅｂ閲覧などの移動通信端末装置の主たる機能は、上下筐体１、２が開状態であるときに動作する。そのため、正面出力部５ａは、背面出力部５ｂと比べると、多くの情報の出力が可能であり、電力の消費が大きい装置である。
【００１７】
また、下筐体２の内面には、移動通信端末装置の電源の投入及び切断などの動作指示の入力や、英数字や文字・記号の入力などに用いられるキーパッドからなる入力部６と、送話に用いられるマイク７とが設置されている。また、下筐体２の外面には、電波の送受に用いられるアンテナ８が設置されている。
【００１８】
更に、ヒンジ部３には、上下筐体１、２が開状態にあるか、または、閉状態にあるかを検出する開閉検出部（図示せず）が設置されて、その開閉検出部から開閉信号が出力されている。
【００１９】
図２は、この移動通信端末装置の構成を示すブロック図である。この移動通信端末装置は、開閉信号３ａが入力され、装置全体の制御を行う制御部１１と、基地局（図示せず）との間で電波の送受信を行うアンテナ８と、通信部１２と、送受信部１３と、スピーカ４と、マイク７と、通話部１４と、正面出力部５ａと、背面出力部５ｂと、入力部６と、これら各部に電力を供給する電源部２１と、商用交流電源（図示せず）から供給される電力を受ける充電器３１とからなる。
【００２０】
図３は、電源部２１の構成を示すブロック図である。電源部２１は、制御部１１及びコネクタを介して充電器３１と取り外し可能に接続される充電器接続検出部２１ａと、制御部１１及び上記コネクタを介して充電器３１と接続されるスイッチ２１ｂと、スイッチ２１ｂ、電圧測定部２１ｄ及び移動通信端末装置の各部と接続される電池２１ｃと、電池２１ｃ及び制御部１１と接続される電圧測定部２１ｄとからなる。
【００２１】
ここで、電力は、充電器３１からスイッチ２１ｂへ、スイッチ２１ｂから電池２１ｃへ、電池２１ｃから移動通信端末装置の各部へと供給される。電力の供給の流れを図３では太線で示す。
【００２２】
上記のように構成された、本発明の実施形態に係る移動通信端末装置の各部の動作を、図２を参照して説明する。
【００２３】
まず、通信部１２は、アンテナ８が受信した高周波信号を送受信部１３へ出力し、また、送受信部１３から出力される高周波信号をアンテナ８より送信する。
【００２４】
送受信部１３は、通信部１２からの高周波信号を増幅、周波数変換及び復調し、それによって得られたデジタル音声信号を通話部１４へ、また、制御信号を制御部１１に送る。更には、通話部１４から出力されるデジタル音声信号、及び制御部１１から出力される制御信号を変調、周波数変換及び増幅し、高周波信号を得て、それを通信部１２に送る。
【００２５】
次に、通話部１４は、送受信部１３から出力されるデジタル音声信号をアナログ音声信号に変換し、それを増幅してスピーカ４に送る。また、マイク７から出力されるアナログ音声信号を増幅し、それをデジタル音声信号に変換して送受信部１３に送信する。
【００２６】
次に、正面出力部５ａの動作を説明する。正面出力部５ａは、上下筐体１、２が開状態にある場合に、制御部１１より起動されることにより、高輝度で、または、低輝度で表示動作を開始する。制御部１１より新しい画面が起動されるまで、正面出力部５ａには同じ内容が表示される。
【００２７】
正面出力部５ａに表示がされている場合、正面出力部５ａの所定位置、例えば左上部に電池レベルマークが表示される。電池レベルマークは、電池２１ｃに蓄えられた電力の状況を示す画像であって、複数の電池レベルマークの中から表示すべき１つの電池レベルマークが制御部１１によって選択され、制御部１１内に記憶されている（詳細は後述する。）。
【００２８】
図４は、正面出力部５ａに表示される電池レベルマークの一例を示す。電池レベルマーク５ｃは、電池内に多くの物体が入っている画像であって、電池２１ｃに蓄えられた電力が多いことを示す。電池レベルマーク５ｄは、電池内に少ない物体が入っている画像であって、電池２１ｃに蓄えられた電力が少ないことを示す。電池レベルマーク５ｅは、電池と矢印とを組合せた画像であって、電池２１ｃが充電中であることを示す。
【００２９】
なお、電池２１ｃに蓄えられた電力の多少を２段階に分けて表示することに限るものではない。３段階以上の任意の段階に分けて表示しても良い。また、電池レベルマーク５ｃ〜５ｅは、画像であって、直感的に電池２１ｃに蓄えられた電力の状況を表すとしたが、これに限るものではない。例えば、電池２１ｃに蓄えられた電力の電圧を示す「数字列」であっても良いし、その電圧の高低に応じて「高」、または、「低」の文字でも良い。更に、電池２１ｃが充電中である場合には、「充電中」なる文字であっても良い。
【００３０】
次に、背面出力部５ｂの動作を説明する。背面出力部５ｂは、上下筐体１、２が閉状態にある場合に、制御部１１より起動されることにより、高輝度で、または、低輝度で表示動作を開始する。制御部１１より新しい画面が起動されるまで、同じ内容が表示される。
【００３１】
背面出力部５ｂに表示がされている場合、背面出力部５ｂの所定位置に電池レベルマークが表示される。表示される電池レベルマークは、正面出力部５ａに表示される上記電池レベルマーク５ｃ〜５ｅと同一である。
【００３２】
入力部６は、移動通信端末装置の電源の投入及び切断を指示するキーと、通信相手の電話番号を指定するための「１」〜「９」及び「０」の数字キーとを含む複数のキーからなり、制御部１１の起動により動作を開始し、利用者が入力操作したキー入力に応じて、そのキーを識別する識別子を制御部１１へ通知して動作を終了する。
【００３３】
次に、電源部２１の動作を図２及び図３を参照して説明する。充電器接続検出部２１ａは、充電器３１からコネクタを介して供給される電力の電圧を測定する。そして、充電器３１が電池２１ｃを充電可能な直流電力を供給して電源部２１に接続されているか否かを検出する。
【００３４】
即ち、充電器接続検出部２１ａは、制御部１１からの起動信号により動作を開始し、上記測定した電圧が所定の充電可能電圧閾値以上の値であれば充電器３１が接続されていると検出し、その電圧が上記閾値未満であれば充電器３１が接続されていないと検出する。そして、充電器３１が接続されているか否かを制御部１１に通知する。
【００３５】
スイッチ２１ｂは、制御部１１からの起動信号により動作を開始し、充電器３１からコネクタを介して供給される電力の端子（図示せず）と電池２１ｃの間を電気的に切断、または、投入する。電池２１ｃは、蓄電池であり、充電器３１が接続され、かつ、スイッチ２１ｂが投入された場合には充電器３１から供給される電力を充電する。また、電池２１ｃは、移動通信端末装置の各部に電力を供給する。
【００３６】
電圧測定部２１ｄは、制御部１１からの起動信号により動作を開始し、電池２１ｃの供給する電力の電圧を測定する。そして、測定した電圧を制御部１１に通知する。
【００３７】
次に、充電器３１の動作を説明する。充電器３１は、供給された商用交流電力を電池２１ｃを充電するための所定電圧の直流電力に変換する。しかし、充電器３１に供給される電力は商用交流電力に限るものではなく、例えば、乾電池の電力であっても良い。
【００３８】
次に、制御部１１の充電処理の制御動作を説明する。図５は、この制御部１１による充電処理の制御動作を示すフローチャートである。
【００３９】
制御部１１の充電処理の制御動作は、所定の時間間隔をおいて開始する（ステップ１１ａ）。ここで、利用者によって入力部６の所定のキーが操作されることにより、移動通信端末装置の電源が切断されているか、または、投入されているかを問わず、制御部１１の制御動作は所定の時間間隔をおいて開始される。
【００４０】
続いて、制御部１１は、充電器接続検出部２１ａを起動して、充電器３１が電池２１ｃを充電可能な電力を供給しつつ、電源部２１に接続されているか否かを調べる（ステップ１１ｂ）。
【００４１】
充電器接続検出部２１ａから充電器３１が電源部２１に接続されていないとの通知を受信すれば（ステップ１１ｂの「非接続」）、制御部１１は、電池レベルマークとして、電池２１ｃに蓄えられた電力が多いことを示す電池レベルマーク５ｃ、または、電池２１ｃに蓄えられた電力が少ないことを示す電池レベルマーク５ｄを選択し、制御部１１内に格納する（ステップ１１ｃ）。
【００４２】
即ち、制御部１１は、電圧測定部２１ｄを起動して、電圧測定部２１ｄから電池２１ｃが供給する電力の電圧を測定した値を受信して、その値が所定の電圧レベル閾値以上ならば電池レベルマーク５ｃを選択し、その値が上記閾値未満ならば電池レベルマーク５ｄを選択する。続いて、充電制御の動作を終了する（ステップ１１ｄ）。
【００４３】
上述した動作により、充電器３１が電源部２１に接続されていない場合、制御部１１の充電処理の制御動作は、正面出力部５ａの表示の有無、正面出力部５ａが備えるバックライトが消灯、低輝度点灯、または高輝度点灯のいずれであるかに影響を及ぼさない。
【００４４】
また、背面出力部５ｂの表示の有無、背面出力部５ｂが備えるバックライトが消灯、または点灯のいずれであるかに影響を及ぼさない。そのため、電池２１ｃに蓄えられた電力の消費の増大はない。
【００４５】
再び、図５のフローチャートで示した制御部１１の充電処理の制御動作の説明に戻る。充電器接続検出部２１ａから充電器３１が電源部２１に接続されているとの通知を受信すれば（ステップ１１ｂの「接続」）、制御部１１は、続いて、電池２１ｃが満充電であるか否かを調べる（ステップ１１ｅ）。
【００４６】
即ち、制御部１１は、電圧測定部２１ｄを起動して、電圧測定部２１ｄが測定した電池２１ｃの供給する電力の電圧を受信する。そして、その電圧が所定の満充電電圧閾値以上であれば、電池２１ｃは満充電であると判断し、その電圧が上記閾値未満であれば、電池２１ｃは満充電でないと判断する。
【００４７】
または、制御部１１は、前記電圧が所定の第２の満充電電圧閾値以上になった後に所定時間を経過した場合に電池２１ｃは満充電であると判断し、しからざる場合は電池２１ｃは満充電でないと判断しても良い。
【００４８】
電池２１ｃが満充電でないと判断された場合（ステップ１１ｅの「未」）、制御部１１は、スイッチ２１ｂを投入させる（ステップ１１ｆ）。そして、電池レベルマークとして、電池２１ｃが充電中であることを示す電池レベルマーク５ｅを選択し、制御部１１内に格納する（ステップ１１ｇ）。
【００４９】
続いて、制御部１１は、制御部１１内に記憶された移動通信端末装置の状態によって、移動通信端末装置の電源が投入されているか、または、切断されているかを調べる（ステップ１１ｈ）。電源が投入されている場合（ステップ１１ｈの「投入」）、制御部１１は、制御動作を終了する（ステップ１１ｄ）。
【００５０】
ここで、電源の投入とは、移動通信端末装置の主たる機能、例えば、通話機能が動作する設定が入力部６のキーの操作によって行われている状態である。一方、電源の切断とは、移動通信端末装置の主たる機能が停止する設定が入力部６のキーの操作によって行われている状態であり、制御部１１の充電制御を含む一部の制御機能は動作している状態である。
【００５１】
切断されている場合（ステップ１１ｈの「切断」）、制御部１１は、上下筐体１、２の開閉状態を開閉信号３ａを受信して調べ（ステップ１１ｉ）、上下筐体１、２が開状態である場合（ステップ１１ｉの「開」）、正面出力部５ａを表示させ、また、正面出力部５ａが備えるバックライトを低輝度で点灯させる（ステップ１１ｊ）。続いて、制御部１１は、制御動作を終了する（ステップ１１ｄ）。
【００５２】
一方、上下筐体１、２が閉状態である場合（ステップ１１ｉの「閉」）、背面出力部５ｂを表示させ、また、背面出力部５ｂが備えるバックライトを消灯させる（ステップ１１ｋ）。続いて、制御部１１は、制御動作を終了する（ステップ１１ｄ）。
【００５３】
上述した動作により、電池２１ｃが充電中であって、移動通信端末装置の電源が切断されている場合、制御部１１は、上下筐体１、２の開閉状態に依存して、正面出力部５ａまたは背面出力部５ｂの内、利用者の視認が容易な出力部に電池２１ｃが充電中であることを示す電池レベルマーク５ｅを低輝度で表示する。
【００５４】
これにより、利用者は電池２１ｃが充電中であることを容易に知ることができ、かつ、電池２１ｃに蓄えられた電力の消費は小さい。なお、正面出力部５ａまたは背面出力部５ｂに表示されるのは電池レベルマーク５ｅのみに限るものではない。電池レベルマーク５ｅ以外の文字や、画像を表示させても良い。また、表示を点滅させても良い。更に、正面出力部５ａが備えるバックライトを点滅させても良い。
【００５５】
また、電池２１ｃが充電中であって、移動通信端末装置の電源が投入されている場合、正面出力部５ａの表示の有無、正面出力部５ａが備えるバックライトが消灯、低輝度点灯、または高輝度点灯のいずれであるか、更に、背面出力部５ｂの表示の有無、背面出力部５ｂが備えるバックライトが消灯、または点灯のいずれであるかは、上下筐体１、２が開状態であるか、または、閉状態であるかによって異なる。
【００５６】
更に、省エネモードの設定、即ち、所定時間にわたって利用者による入力部６のキー操作がないことによって、電池２１ｃに蓄えられた電力の消費を小さくする、例えば、正面出力部５ａ及び背面出力部５ｂへの表示を停止し、または、正面出力部５ａ及び背面出力部５ｂが備えるバックライトを消灯する設定が行われていれば、所定時間にわたって利用者の入力部６のキー操作があるか、ないかによっても上記表示の有無と、上記バックライトが点灯、消灯のいずれであるかが異なる。
【００５７】
いずれの場合も、制御部１１の充電処理の制御動作は、電池２１ｃが充電中であって、移動通信端末装置の電源が投入されている場合、上記正面出力部５ａの状態と背面出力部５ｂの状態に影響を及ぼさず、電池レベルマーク５ｅの選択によって、電池２１ｃが充電中であることを表示する。これによって、利用者は、引き続き支障なく、また混乱なく移動通信端末装置を利用できる。また、電池２１ｃに蓄えられた電力の消費の増大はない。
【００５８】
なお、電池２１ｃが充電中であって、移動通信端末装置の電源が投入されている場合、上下筐体１、２が開状態であって、かつ、正面出力部５ａが表示をしていないなら、制御部１１は、正面出力部５ａを表示、または、点滅表示させても良い。また、正面出力部５ａが備えるバックライトが消灯しているなら、そのバックライトを低輝度で点灯、または、点滅させても良い。
【００５９】
一方、電池２１ｃが充電中であって、移動通信端末装置の電源が投入されている場合、上下筐体１、２が閉状態であって、かつ、背面出力部５ｂが表示をしていないなら、制御部１１は、背面出力部５ｂを表示、または、点滅表示させても良い。
【００６０】
更に、制御部１１は、正面出力部５ａまたは背面出力部５ｂの表示または点滅表示、更に、これらの出力部が備えるバックライトの点灯または点滅を充電開始後所定時間のみ行っても良い。上記表示または点滅表示、更に、上記バックライトの点灯または点滅によって、電池２１ｃが充電中であることを利用者に強く示すことができ、更に、充電開始後所定時間のみ行うことにより、電池２１ｃに蓄えられた電力の消費は小さい。
【００６１】
再び、図５のフローチャートで示した制御部１１の充電処理の制御動作の説明に戻る。電池２１ｃが満充電と判断された場合（ステップ１１ｅの「満充電」）、制御部１１は、スイッチ２１ｂを切断させる（ステップ１１ｍ）。
【００６２】
続いて、制御部１１は、移動通信端末装置の電源が投入されているか、または、切断されているかを調べる（ステップ１１ｎ）。なお、ステップ１１ｎの動作は、ステップ１１ｈの動作と同一である。投入されている場合（ステップ１１ｎの「投入」）、制御部１１は、電池レベルマークとして、電池レベルマーク５ｃ、または、電池レベルマーク５ｄを選択し、制御部１１内に格納して（ステップ１１ｏ）、制御動作を終了する（ステップ１１ｄ）。なお、ステップ１１ｏの動作は、ステップ１１ｃの動作と同一である。
【００６３】
ただし、ステップ１１ｅで電池２１ｃが満充電であるか否かを判断する際に用いられる満充電電圧閾値及び第２の満充電電圧閾値は、ステップ１１ｏで電池２１ｃに蓄えられた電力の多少を判断する際に用いられる電圧レベル閾値より大である。そこで、ステップ１１ｏでは、電池レベルマーク５ｃが選択される。
【００６４】
切断されている場合（ステップ１１ｎの「切断」）、制御部１１は、続いて、上下筐体１、２の開閉状態を開閉信号３ａを受信して調べる（ステップ１１ｐ）。なお、ステップ１１ｐの動作は、ステップ１１ｉの動作と同一である。
【００６５】
上下筐体１、２が開状態である場合（ステップ１１ｐの「開」）、制御部１１は、正面出力部５ａに表示をさせず、更に、正面出力部５ａが備えるバックライトを消灯させる（ステップ１１ｑ）。続いて、制御部１１は、制御動作を終了する（ステップ１１ｄ）。
【００６６】
上下筐体１、２が閉状態である場合（ステップ１１ｐの「閉」）、制御部１１は、電池レベルマークとして、電池レベルマーク５ｃ、または、電池レベルマーク５ｄを選択し、制御部１１内に格納する（ステップ１１ｒ）。なお、ステップ１１ｒの動作は、ステップ１１ｃの動作と同一である。また、ステップ１１ｒでは、電池レベルマーク５ｃが選択されることは、ステップ１１ｏの動作の説明で述べたことと同一である。
【００６７】
続いて、制御部１１は、ステップ１１ｒで選択された電池レベルマーク５ｃを背面出力部５ｂに表示し、背面出力部５ｂが備えるバックライトを消灯して（ステップ１１ｓ）、動作を終了する（ステップ１１ｄ）。なお、上記表示は、点滅表示であっても良い。
【００６８】
上述した動作により、電池２１ｃが満充電であって、移動通信端末装置の電源が切断されている場合、制御部１１は、上下筐体１、２が閉状態であれば、背面出力部５ｂに電池レベルマーク５ｃを低輝度で表示させる。これにより、利用者は電池２１ｃが満充電であることを容易に知ることができる。
【００６９】
また、電池２１ｃが満充電であって、移動通信端末装置の電源が切断されている場合、制御部１１は、上下筐体１、２が開状態であれば、背面出力部５ｂに表示をさせないのみならず、電力の消費が背面出力部５ｂより大きい正面出力部５ａに表示をさせないため、電池２１ｃに蓄えられた電力の消費は小さい。その結果、電池２１ｃが満充電になった後、電池２１ｃが満充電になった時に電池２１ｃに蓄えられた電力が大きく減少することはない。
【００７０】
なお、電池２１ｃが満充電であって、移動通信端末装置の電源が投入されている場合、電池２１ｃが充電中であって、移動通信端末装置の電源が投入されている場合と同様に、制御部１１の充電処理の制御動作は、上記正面出力部５ａの状態と背面出力部５ｂの状態に影響を及ぼさない。これによって、利用者は、引き続き支障なく、また混乱なく移動通信端末装置を利用できる。また、電池２１ｃに蓄えられた電力の消費の増大はない。
【００７１】
本実施形態においては、充電器３１は上筐体１、下筐体２またはヒンジ部３と取り外し可能に接続されるとしたが、これに限るものではない。充電器３１は上筐体１、下筐体２またはヒンジ部３と一体に成形されていても良い。
【００７２】
また、正面出力部５ａは透過型ＬＣＤとしたが、これに限るものではなく、反射型ＬＣＤでも良い。また、背面出力部５ｂは反射型ＬＣＤとしたが、これに限るものではなく、透過型ＬＣＤでも良い。
【００７３】
更に、電源部２１を構成するスイッチ２１ｂの切断動作によって電池２１ｃの過充電を防止し、また、充電器３１の過熱を防止するとしたが、これに限るものではない。例えば、充電器３１が電池２１ｃの供給する電力の電圧を測定し、その電圧によって電池２１ｃが満充電であることを検出した場合、充電器３１が電源部２１への電力の供給を停止しても良い。
【００７４】
また、以上の説明は、本発明を移動通信端末装置に適用した形態を例にとって行ったが、本発明は、ＰＤＡ（Personal Digital Assistant）や、パソコンなどに適用することも当然に可能である。本発明は以上の構成に限定されるものではなく、種々の変形が可能である。
【図面の簡単な説明】
【００７５】
【図１】本発明の実施形態に係る移動通信端末装置の外観図。
【図２】本発明の実施形態に係る移動通信端末装置の構成を示すブロック図。
【図３】本発明の実施形態に係る電源部の構成を示すブロック図。
【図４】電池レベルマークが表示された画面の例。
【図５】本発明の実施形態に係る制御部の充電処理の制御動作のフローチャート。
【符号の説明】
【００７６】
１  上筐体
２  下筐体
３  ヒンジ部
３ａ  開閉信号
５ａ  正面出力部
５ｂ  背面出力部
１１  制御部
２１  電源部
２１ａ  充電器接続検出部
２１ｂ  スイッチ
２１ｃ  電池
２１ｄ  電圧測定部
３１  充電器
【図１】
2005117827.tif 000003
【図２】
2005117827.tif 000004
【図３】
2005117827.tif 000005
【図４】
2005117827.tif 000006
【図５】
2005117827.tif 000007